(57)【要約】【課題】端子と充填樹脂の界面において、充填樹脂にクラックが発生するのを抑制することが可能な樹脂封止電気部品及びその端子を提供する。【解決手段】電気素子２に接続される基端部５と、この基端部５から延設されるとともに外部と接続される先端部６を具装する端子４であって、基端部５から先端部６へと至る端子基部８の途中の位置において、端子基部８の両側部からその延設方向（上下方向）とは交差する左右方向に延びる一対の延出片９、９を設け、各延出片９、９を上記端子基部側に折り返して湾曲部７、７を形成する。これにより、端子４と充填樹脂３の伸縮に起因して生じる応力が分散されるとともに、強固な接着が行われ、この結果、充填樹脂３の界面近傍でのクラックの発生が大幅に抑制される。【選択図】図２
2010056120.tif 000002
【特許請求の範囲】
【請求項１】
電気素子（２）をケース（１）に収納し樹脂（３）を充填するとともに、電気素子（２）に接続される基端部（５）と、この基端部（５）から延設され、かつ外部へと接続される先端部（６）が外方に導出された端子（４）を具装する電気部品において、上記端子（４）は、充填樹脂（３）の界面近傍で、かつ基端部（５）から先端部（６）へと至る端子基部（８）の途中の位置において、端子基部（８）からその延設方向とは交差する方向に延びる延出片（９）を備え、この延出片（９）を上記端子基部側に折り返して湾曲部（７）を形成したことを特徴とする樹脂封止電気部品。
【請求項２】
上記延出片（９）は、上記端子基部（８）の両側部に形成されていることを特徴とする請求項１の樹脂封止電気部品。
【請求項３】
上記折り返された延出片（９）と上記端子基部（８）との間には、樹脂（３）が充填されていることを特徴とする請求項１又は請求項２の樹脂封止電気部品。
【請求項４】
電気素子（２）に接続される基端部（５）と、この基端部（５）から延設されるとともに外部と接続される先端部（６）を具装する端子（４）であって、基端部（５）から先端部（６）へと至る端子基部（８）の途中の位置において、端子基部（８）からその延設方向とは交差する方向に延びる延出片（９）を設け、この延出片（９）を上記端子基部側に折り返して湾曲部（７）を形成したことを特徴とする樹脂封止電気部品に用いられる端子。
【発明の詳細な説明】
【技術分野】
【０００１】
この発明は、樹脂封止電気部品及びその端子に関するものである。
【背景技術】
【０００２】
図４及び図５に示すように、コンデンサ素子などの電気素子（図示せず）をケース２１内に収納してエポキシ樹脂などの樹脂２２を充填し封止される従来の電気部品においては、電極引き出し用の端子２３は、電流容量の確保、取付強度の確保（端子２３の取り付けと電気素子本体の固定を共用する場合）などを目的として略直角のエッジ部２４を有する板状端子が用いられる場合が多い（例えば、特許文献１参照）。
【特許文献１】特開２００８−８５２７３号公報
【発明の開示】
【発明が解決しようとする課題】
【０００３】
ところで、上記電気部品においては、使用される環境が特に高低の温度差の大きいような場合には、端子２３（銅、黄銅など）と充填樹脂２２（エポキシ、ウレタンなど）の線膨張係数（熱膨張率）の差異に起因する伸縮量の違いにより生じる応力によって、端子２３と充填樹脂２２の界面を基点としたクラックが発生する場合がある。クラックが発生すると、外装材によるバリア性が著しく低下し、自動車用などの高温高湿環境下では耐湿性劣化により、電気部品の性能が著しく低下するおそれがある。クラックは応力が集中する端子２３のエッジ部２４を基点に発生する場合が多い。
【０００４】
この発明は、上記従来の課題を解決するためになされたものであって、その目的は、端子と充填樹脂の界面において、充填樹脂にクラックが発生するのを抑制することが可能な樹脂封止電気部品及びその端子を提供することにある。
【課題を解決するための手段】
【０００５】
そこでこの発明の樹脂封止電気部品は、電気素子２をケース１に収納し樹脂３を充填するとともに、電気素子２に接続される基端部５と、この基端部５から延設され、かつ外部へと接続される先端部６が外方に導出された端子４を具装する電気部品において、上記端子４は、充填樹脂３の界面近傍で、かつ基端部５から先端部６へと至る端子基部８の途中の位置において、端子基部８からその延設方向とは交差する方向に延びる延出片９を備え、この延出片９を上記端子基部側に折り返して湾曲部７を形成したことを特徴としている。
【０００６】
また、上記延出片９は、上記端子基部８の両側部に形成されていることを特徴としている。
【０００７】
さらに、上記折り返される延出片９と上記端子基部８との間には、樹脂３が充填されていることを特徴としている。
【０００８】
樹脂封止電気部品に用いられる端子は、電気素子２に接続される基端部５と、この基端部５から延設されるとともに外部と接続される先端部６を具装する端子４であって、基端部５から先端部６へと至る端子基部８の途中の位置において、端子基部８からその延設方向とは交差する方向に延びる延出片９を設け、この延出片９を上記端子基部側に折り返して湾曲部７を形成したことを特徴としている。
【発明の効果】
【０００９】
この発明の樹脂封止電気部品及びその端子によれば、充填樹脂３の界面近傍において湾曲部７を設けているので、端子４の線膨張係数（熱膨張率）と充填樹脂３の線膨張係数（熱膨張率）の差異に起因する伸縮量の違いによって生じる応力が湾曲面によって分散される。また、湾曲部７を設けることによって、充填樹脂３と端子４の接触面積が増し、強固な接着が行われる。さらに、延出片９と端子基部８との間に樹脂３が充填されることによって一段と接触面積が増し、より強固な接着が行われる。この結果、充填樹脂３の界面近傍でのクラックの発生が大幅に抑制され、温度変化に対する性能（対冷熱サイクル性能）を向上できる。
【発明を実施するための最良の形態】
【００１０】
次に、この発明の樹脂封止電気部品及びその端子の具体的な実施の形態について、図面を参照しつつ詳細に説明する。この発明の実施形態に係る樹脂封止電気部品は、図１、図２及び図３に示すように、ケース１内に電気素子２（この場合は、コンデンサ素子）を収納し、電気素子２の両端部の電極部１０に、それぞれ板状端子４の基端部５を接続している。この場合、図２に示すように、電気素子２がケース１内部において、両端部の電極部１０がケース１の側壁と相対向するように配置されている。そして、端子４の先端部６をケースの開口部１１から外方に導出し、ケース１内に充填樹脂３を充填する。ここで特徴的なことは、上記ケース１の開口部１１において、端子４が充填樹脂３の界面近傍で、かつ基端部５から先端部６へと至る端子基部８の途中の位置において、端子基部８の両側部からその延設方向（上下方向）とは交差する左右方向に延びる一対の延出片９、９を備え、各延出片９、９を上記端子基部側に向けて、互いにその先端が向き合うように折り返して湾曲部７、７を形成したことである。
【００１１】
上記端子４は、例えば、銅、黄銅などで形成された端子であるため、充填樹脂３（エポキシ樹脂、ウレタン樹脂など）と線膨張係数（熱膨張率）が異なる。
【００１２】
上記端子４は、さらに具体的にいうと、電気素子２の電極部１０に接続する基端部５と、その基端部５から上方へと延設され、ケース１の開口部１１から外方に導出されるとともに、ケース１の外方に向かって面外方向に略直角に折曲された外部接続用の先端部６とを有する。この先端部６から基端部５へと上下方向に延びる部位を端子基部８とし、端子基部８の途中の位置で、かつ充填樹脂３の界面近傍で端子延設方向とは交差する左右方向に延出された延出片９、９を端子基部８の左右両側部に設ける。各延出片９、９は、端子基部８と略並行になるよう端子基部側に向かって、互いにその先端が向き合うように面外方向に折り返して湾曲部７、７を形成している。
【００１３】
上記各延出片９、９は、図３に示すように１ｍｍ〜数ｍｍほど、端子基部８から延出方向（左右方向）に離れた箇所で、かつ端子基部８の板厚以上の回転半径をもって折り返されているため、湾曲部７、７は、端子４の延設方向（上下方向）と交差する面における断面形状が略半円形を成すように湾曲している。この場合、端子基部８と各延出片９、９との間に隙間を形成し、その隙間には、充填樹脂３が充填される。
【００１４】
上記各延出片９、９の上部側は、充填樹脂３の内部から外部に向けて充填樹脂３の外側に突出するとともに、その下部側が充填樹脂３の内部に埋設されており、端子４と充填樹脂３の線膨張係数（熱膨張率）の差異に起因する伸縮量の違いによって生じる応力を充填樹脂３の界面近傍にて分散できるように配置されている。
【００１５】
上記実施形態の樹脂封止電気部品及びその端子によれば、端子４と界面近傍の充填樹脂３との接触面に湾曲部７、７を設けているので、図４及び図５に示す従来例のような板状端子２３のエッジ部２４が無くなり、界面近傍の端子４と充填樹脂３の線膨張係数（熱膨張率）の差異に起因する伸縮量の違いによって生じる応力が、湾曲面よって分散され、この結果、界面近傍での充填樹脂３のクラックの発生が抑制され、温度変化に対する性能（耐冷熱サイクル性能）を向上できる。  
【００１６】
また、湾曲部７、７を設けることによって、端子４と充填樹脂３の接触面積が増すため、強固な接着が行われる。さらに、延出片９、９と端子基部８との間に樹脂３が充填されることによって、一段と接触面積が増し、この結果、より強固な接着が行われ、クラックの発生をより一段と抑制できる
【００１７】
以上にこの発明の具体的な実施の形態について説明したが、この発明は上記形態に限定されるものではなく、この発明の範囲内で種々変更して実施することが可能である。例えば、充填樹脂３や端子４の材質は、上記例示以外にも種々のものを採用し得る。また、電気素子２の構造も上記以外の種々の構造に対して適用可能である。さらに、上記においては、端子基部８の両側から一対の延出片９、９を設けているが、いずれか片側に延出片９を設けることもある。延出片９を折り返す方向においても、上記例示のケース内方のほかに、ケース外方に折り返してもよい。また、上記のように左右一対の延出片９、９を設ける場合においては、互い違いの方向へと折り返すことなどもできる。
【図面の簡単な説明】
【００１８】
【図１】この発明の樹脂封止電気部品及びその端子の実施形態を示す斜視図である。
【図２】上記実施形態の内部構造を示す要部の斜視図である。
【図３】上記実施形態の要部の平面図である。
【図４】樹脂封止電気部品及びその端子の従来例を示す斜視図である。
【図５】上記従来例の要部の平面図である。
【符号の説明】
【００１９】
１・・ケース、２・・電気素子、３・・充填樹脂、４・・端子、５・・基端部、６・・先端部、７・・湾曲部、８・・端子基部、９・・延出片、１０・・電極部、１１・・開口部、２１・・ケース、２２・・充填樹脂、２３・・端子、２４・・エッジ部
【図１】
2010056120.tif 000003
【図２】
2010056120.tif 000004
【図３】
2010056120.tif 000005
【図４】
2010056120.tif 000006
【図５】
2010056120.tif 000007